(57)【特許請求の範囲】
【請求項１】
内部に空間を一対に区分して長さ方向に互いに並んで離隔状態で対向するように形成し、前記空間には吸入孔と排出孔をそれぞれ設け、前記空間同士の間には排出孔に連通する開口孔を設けたケースと、
前記空間にそれぞれ回転可能に設置され、モーターの動力によって相互逆回転して外気を吸入孔から排出孔へ排出する一対の回転部とを含んでなり、
前記排出孔を介して排出される空気によって排出孔と開口孔との気圧差を発生させて開口孔の間の気流を引き寄せる空気流れを持つようにする、家庭用空気流発生装置。
【請求項２】
前記ケースは、
長方形の板を折り曲げて家庭用空気流発生装置の設置面に密着して固定され、上面にダクト穴を有する上部と、
前記上部の両側を垂直に折り曲げて設けられ、互いに対向する連結部と、
前記連結部の下部を半円状に湾曲させて上部方向を向くように形成して内部に空間を有する一対の空間部と、
前記空間に設置された回転部の上部に位置し、空間を区画させるとともに開口孔から連結部側の上部へ空気の流れを案内する閉止部とから構成したことを特徴とする、請求項１に記載の家庭用空気流発生装置。
【請求項３】
前記ケースは、
前記家庭用空気流発生装置が設置される天井に垂直に固定される上部と、
前記上部に連結され、内部に弧状の一対の空間を相互離隔するように形成させた空間部と、
前記空間部に下方に連設され、排出孔から排出された空気が開口孔の下部へ流れるように案内する閉止部とから構成したことを特徴とする、請求項１に記載の家庭用空気流発生装置。
【請求項４】
前記ケースは、
前記家庭用空気流発生装置が設置される空間の壁面に水平に固定され、屋内外を連通させる上部と、
前記上部の内部に設置され、弧状の一対の空間を相互離隔するように形成させた空間部と、
前記空間部に水平方向に連設され、排出孔から排出された空気が開口孔へ流れるように案内する閉止部とから構成したことを特徴とする、請求項１に記載の家庭用空気流発生装置。
【請求項５】
前記連結部には空間に連通する吸入孔を設け、前記閉止部と空間部との間には排出孔を設け、前記一対の空間部の間には流入孔を設け、前記上部にはダクトを接続させるダクト穴を設けることを特徴とする、請求項２に記載の家庭用空気流発生装置。
【請求項６】
前記閉止部の端部にＬＥＤランプを設置したことを特徴とする、請求項３に記載の家庭用空気流発生装置。
【請求項７】
前記空間は、内部に熱線を装着して回転部によって熱風を発生させるようにすることを特徴とする、請求項３に記載の家庭用空気流発生装置。
【請求項８】
前記ケースは、開口孔の端部にモーターにより回転する幕板を設置して開口孔を選択的に開閉させるようにすることを特徴とする、請求項４に記載の家庭用空気流発生装置。
【請求項９】
前記閉止部は、空気の流れが進行する方向に拡開した傾斜を有するように構成することを特徴とする、請求項２、３及び４のいずれか一項に記載の家庭用空気流発生装置。
【請求項１０】
前記家庭用空気流発生装置は厨房用フード、シーリングファン及び換気扇に適用可能であることを特徴とする、請求項１に記載の家庭用空気流発生装置。
【発明の詳細な説明】
【技術分野】
【０００１】
本発明は、シーリングファンに係り、さらに詳しくは、室内で適用可能な家庭用空気流発生装置であって、対向して配置された２列の回転翼を相互反対方向に回転させて空気流発生装置と外部空間との気圧差を発生させることにより周辺の気流を引き寄せて風量及び風速を増加させるようにする、厨房用フード、シーリングファン及び換気扇に適用できる家庭用空気流発生装置に関する。
【背景技術】
【０００２】
一般に、空気の流れを利用して生活の利便性を提供する家庭用空気流発生装置は、扇風機、シーリングファン、厨房用フード及び換気扇などに適用される。
【０００３】
まず、扇風機とシーリングファンは、通常、軸を中心に回転するように搭載された翼または羽根（ｖａｎｅ）のセット、及び該翼セットを回転させて空気の流れを生成する駆動装置を含んでいる。空気の流れの移動及び循環により「風冷（ｗｉｎｄ  ｃｈｉｌｌ）」または微風が発生し、その結果、対流および蒸発によって熱が発散することにより、使用者は冷却効果を得る。
【０００４】
扇風機は種類によって区分されるが、通常、室内の天井に設置される装置は「シーリングファン」という。
【０００５】
前記シーリングファンは、室内に空気を換気させる換気扇や室内用扇風機、或いは天井に装着して空気の流れを誘発させるものである。
【０００６】
前記シーリングファンは、天井に固定するフレームにモーターを固定し、モーター軸によって回転するシーリングファンからなっている。モーターの回転によってシーリングファンが回転しながら室内の空気を吹き付けて温度を降温させる。
【０００７】
しかし、従来技術の換気扇は、内気が外気よりも高い場合が一般的であるため、通常、人手の届かない高い位置や隅に設置されることが多いので、特定の時間作動させる場合よりも２４時間作動させる場合が多かった。よって、無駄に換気扇を作動させることにより、その使用寿命が短くなり、外気の連続的な注入により温度の保持が必要な場合には室内空気を無駄に冷却させるという問題点があった。
【０００８】
また、厨房用フードは扇風機の原理を逆に利用して、飲食の調理時に発生する煙や水蒸気および臭気などを吸入して外部へ排出させることができる機能を有する。
【０００９】
前述したような厨房用フードは、通常、内部に設置されたファン（図示せず）によって、調理容器から発生する煙や水蒸気、臭気などに汚染した空気を吸入して、外部に接続されたダクト（図示せず）を介して室外へ排出させる機能を行う。
【００１０】
しかし、各種飲食の調理時に発生する煙や水蒸気、臭気などは、調理容器から垂直に上昇するよりは広く厨房に広がっていくことにより、従来の固定された厨房用フードを介しては広く広がる汚染空気を効率よく外部へ排出することができないという問題点があった。
【００１１】
つまり、通常の厨房用フードは、単に固定された状態で厨房設備の上方に設置されることにより、厨房用フードとガスレンジにのせられる調理容器との距離が遠いため、厨房用フードの近くに広がった汚染空気のみを外部へ排出するだけであり、調理容器から広く拡散した汚染空気は全く外部へ排出することができず、厨房用フードを長時間稼動しても調理容器から広く拡散した汚染空気は全く外部へ排出することができないため、飲食の調理後にはキッチンやリビングルームなどに常に食べ物の匂いが残存して不快感を与えるという問題点があった。
【００１２】
また、厨房用フードとガスレンジとの距離が遠いため、厨房用フードのファン（図示せず）を作動させるための回転モーター（図示せず）の容量が大きくなければならないことにより、厨房用フードを作動させるときに非常に大きな騒音が発生するという問題点があった。
【００１３】
そして、換気扇とは、内気を外部に排気させて換気させる装置であって、工場や食堂、ビル、駐車場、浴場、畜舎などに広範囲に設置されている。
【００１４】
このような従来の換気扇は、図９に示すように、室内の空気が流入する収容空間１１、流入した空気を外部に誘導する案内面１２、及び排出口１３を有するケーシングスクロール１０と、ケーシングスクロールの内部に装着される駆動モーター２０と、駆動モーターの回転軸２１に装着され、駆動モーターの回転力の伝達を受けて回転しながら室内の空気を流入させて排出する回転部材３０と、回転部材を保護するための保護カバー４０と、ケーシングスクロール１０の底面に装着され、空気の移動する通路５１が形成されたグリル５０とを含んでなる。
【００１５】
特に、従来の換気扇は、回転部材３０の翼３１として、駆動モーター２０による回転部材の回転方向を向いて湾曲形成される転向羽根を採用した。
【００１６】
したがって、従来の回転部材３０は、室内の空気を流入させて抱え込んで排出口１３から排出させる。
【００１７】
しかし、従来の換気扇は、回転部材３０の転向羽根３１が風を回転だけさせるので、効率が低下し、騒音が増加するという問題点があった。
【００１８】
つまり、転向羽根３１の回転による風量及び風圧構造が現実に合わないため、駆動モーター２０の動力も小型の低容量に制限されるという問題点があった。
【００１９】
より具体的には、転向羽根を使用する場合、風圧は増加するものの、風圧による効率は低下するので、一定量の風量を発生させるためには回転部材を高速で回転させなければならいため、騒音が増加する。
【００２０】
それだけでなく、転向羽根３１が吸入した室内の空気を抱え込んで排出口１３へ移動させることにより、転向羽根が回転するときに揚力抵抗が発生し、転向力から揚力抵抗を除いた風動力が外部へ排出されるので、風量及び風圧が落ちて機器の効率を低下させるという問題点があった。
【００２１】
よって、高速回転の際に騒音が増加するという問題点があった。
【発明の概要】
【発明が解決しようとする課題】
【００２２】
本発明は、上述した問題点を解消するためのもので、その目的は、２列の翼を有する回転部を一対備え、互いに対向するように設置し、一対の回転部を相互反対方向に回転させて空気の流れを発生させると、空気流発生装置と外部空間との気圧差を発生させて周辺の気流を引き寄せて風量および風速を増加させるようにする家庭用空気流発生装置を提供することにある。
【００２３】
本発明の他の目的は、前記家庭用空気流発生装置を厨房用フードに適用してキッチンの汚染空気を外部へ迅速に排出するようにすることにある。
【００２４】
本発明の別の目的は、前記家庭用空気流発生装置をシーリングファンに適用して、室内の天井に設置された状態で強力な空気の流れを発生させると同時に、流れる空気の温度可変を可能にして室内の冷暖房を選択的に行うことにある。
【００２５】
本発明のさらに別の目的は、前記家庭用空気流発生装置を換気扇に適用して室内の汚染空気を外部へ迅速に排出させることができるようにすることにある。
【課題を解決するための手段】
【００２６】
上記目的を達成するための本発明の家庭用空気流発生装置は、内部に空間を一対に区分して長さ方向に互いに並んで離隔状態で対向するように形成し、前記空間には吸入孔と排出孔をそれぞれ設け、空間同士の間には排出孔に連通する開口孔を設けたケースと、前記空間にそれぞれ回転可能に設置され、モーターの動力によって相互逆回転して外気を吸入孔から排出孔へ排出する一対の回転部とを含んでなり、前記排出孔を介して排出される空気によって排出孔と開口孔との気圧差を発生させて開口孔の間の気流を引き寄せる空気流れを持つようにする。
【００２７】
本発明によれば、前記ケースは、長方形の板を折り曲げて家庭用空気流発生装置の設置面に密着して固定され、上面にダクト穴を有する上部と、前記上部の両側を垂直に折り曲げて設けられ、互いに対向する連結部と、前記連結部の下部を半円状に湾曲させて上部方向を向くように形成して内部に空間を有する一対の空間部と、前記空間に設置された回転部の上部に位置し、空間を区画させるとともに開口孔から連結部側の上部へ空気の流れを案内する閉止部とから構成する。
【００２８】
本発明によれば、前記ケースは、前記家庭用空気流発生装置が設置される天井に垂直に固定される上部と、前記上部に連結され、内部に弧状の一対の空間を相互離隔するように形成させた空間部と、前記空間部に下方に連設され、排出孔から排出された空気が開口孔の下部へ流れるように案内する閉止部とから構成する。
【００２９】
本発明によれば、前記ケースは、前記家庭用空気流発生装置が設置される空間の壁面に水平に固定され、屋内外を連通させる上部と、前記上部の内部に設置され、弧状の一対の空間を相互離隔するように形成させた空間部と、前記空間部に水平方向に連設され、排出孔から排出された空気が開口孔へ流れるように案内する閉止部とから構成される。
【００３０】
本発明によれば、前記連結部には空間に連通する吸入孔を設け、前記閉止部と空間部との間には排出孔を設け、前記一対の空間部の間には流入孔を設け、前記上部にはダクトを接続させるダクト穴を設ける。
【００３１】
本発明によれば、前記閉止部の端部にＬＥＤランプを設置する。
【００３２】
本発明によれば、前記空間は、内部に熱線を装着して回転部によって熱風を発生させるようにする。
【００３３】
本発明によれば、前記ケースは、開口孔の端部にモーターにより回転する幕板を設置して開口孔を選択的に開閉させるようにする。
【００３４】
本発明によれば、前記閉止部は、空気の流れが進行する方向に拡開した傾斜を有するように構成する。
【００３５】
本発明によれば、前記家庭用空気流発生装置は、厨房用フード、シーリングファン及び換気扇に適用可能である。
【発明の効果】
【００３６】
上述した問題点を解消するための本発明の家庭用空気流発生装置は、内部に空間を一対に区分して長さ方向に互いに並んで向かい合うように形成し、前記空間には外気を吸気して外部へ排出する吸入孔及び排出孔を有するケースと、前記空間の内部に回転可能に設置され、モーターの動力によって相互逆回転によって空気を流れさせる回転部とを含んでなり、互いに対向して設置された一対の回転部を相互反対方向に回転させて空気を流れさせることができるようにして周辺の気流を引き寄せて風量及び風速を増加させるようにすることにより、気流の揚力の増加による有効送風距離及び風量を増加させるようにする効果がある。
【００３７】
また、本発明の家庭用空気流発生装置は、厨房用フードの周辺の汚染空気を外部へ迅速に排出させるようにする効果がある。
【００３８】
本発明の家庭用空気流発生装置は、シーリングファンに適用して室内の天井に設置された状態で強力な空気の流れを発生させるとともに、流れる空気の温度可変を可能にして室内の冷暖房を選択的に行う効果がある。
【００３９】
本発明の家庭用空気流発生装置は、換気扇に適用して室内の汚染空気を外部へ迅速に排出させることができるようにする効果がある。
【００４０】
しかも、本発明の家庭用空気流発生装置は、換気扇に適用する場合よりも多くの空気循環のために、既存の複数設置される換気扇の代わりに長さ方向に２つの回転部を回転させるから、設置及び管理費用を節減することができる。
【００４１】
さらに、本発明の家庭用空気流発生装置は、換気扇に適用する場合、前記幕板を介して換気扇の使用有無に応じて選択的に開口孔を密閉または開放させることができるため、設置された換気扇によって美感を向上させる効果がある。
【図面の簡単な説明】
【００４２】
【図１】本発明の家庭用空気流発生装置を厨房用フードに適用した状態を示す斜視図である。
【図２】本発明の家庭用空気流発生装置を厨房用フードに適用した状態を示す正断面図である。
【図３】本発明の家庭用空気流発生装置を厨房用フードに適用した状態を示す拡大断面図である。
【図４】本発明の家庭用空気流発生装置をシーリングファンに適用した状態を示す下部斜視図である。
【図５】本発明の家庭用空気流発生装置をシーリングファンに適用した状態を示す上部斜視図である。
【図６】本発明の家庭用空気流発生装置をシーリングファンに適用した状態を示す図である。
【図７】本発明の家庭用空気流発生装置を換気扇に適用した状態を示す斜視図である。
【図８】本発明の家庭用空気流発生装置を換気扇に適用した状態を示す正断面図である。
【図９】従来技術の換気扇を示す断面図である。
【発明を実施するための形態】
【００４３】
以下、添付図面を参照して本発明の好適な一実施例を詳細に説明する。
【００４４】
まず、図面中における同じ構成要素または部品は、できる限り同一の参照符号で示していることに留意すべきである。本発明を説明するにあたり、関連した公知の機能或いは構成についての具体的な説明は本発明の要旨を曖昧にしないために省略する。
【００４５】
図１は本発明の家庭用空気流発生装置を厨房用フードに適用した状態を示す斜視図、図２は本発明の家庭用空気流発生装置を厨房用フードに適用した状態を示す正断面図、図３は本発明の家庭用空気流発生装置を厨房用フードに適用した状態を示す拡大断面図、図４は本発明の家庭用空気流発生装置をシーリングファンに適用した状態を示す下部斜視図、図５は本発明の家庭用空気流発生装置をシーリングファンに適用した状態を示す上部斜視図、図６は本発明の家庭用空気流発生装置をシーリングファンに適用した状態を示す図、図７は本発明の家庭用空気流発生装置を換気扇に適用した状態を示す斜視図、図８は本発明の家庭用空気流発生装置を換気扇に適用した状態を示す正断面図である。
【００４６】
まず、図１〜図３に示すように、本発明の家庭用空気流発生装置１００はケース１１０と回転部１２０を含んでなる。
【００４７】
ここで、家庭用空気流発生装置１００は厨房用フード１００ａに適用した状態である。次に、これについて説明する。
【００４８】
前記ケース１１０は内部に空間１１３ａを一対に区分して長さ方向に互いに並んで向かい合うように形成し、前記空間１１３ａには回転部１２０を設置することにより、外気をケース１１０の内部に流入させて外部へ排出させる。
【００４９】
このとき、ケース１１０の内部と外部との気圧差を発生させてケース１１０の周辺の気流を引き寄せることにより、向上した風速及び風量を持つようにする。
【００５０】
すなわち、前記ケース１１０は、通常、金属材質からなる板を複数に折り曲げることにより形成される。
【００５１】
具体的には、前記ケース１１０は、長方形の板を折り曲げて家庭用空気流発生装置１００の設置面に密着して固定され、上面にダクト穴１１１ａを有する上部１１１と、前記上部１１１の両側を垂直に折り曲げて設けられ、互いに対向する連結部１１２と、前記連結部１１２の下部を半円状に湾曲させることにより上部方向を向くように形成し、内部に空間１１３ａを有する一対の空間部１１３と、前記空間１１３ａに設置された回転部１２０の上部に位置し、空間１１３ａを区画するとともに、開口孔１１５から連結部１１２側の上部へ空気の流れを案内する閉止部１１４とから構成する。
【００５２】
前記連結部１１２には空間１１３ａに連通する吸入孔１１２ａを設け、前記閉止部１１４と空間部１１３との間には排出孔１１３ｂを設け、前記一対の空間部１１同士の間には開口孔１１５を設け、前記上部１１１にはダクトを接続させるダクト穴１１１ａを設ける。
【００５３】
これにより、前記回転部１２０の駆動によりケース１１０の吸入孔１１２ａを介してキッチンの汚染空気を空間１１３ａの内部に流入させた後、排出孔１１３ｂから空気を排出させる。
【００５４】
このとき、前記排出孔１１３ｂから排出される空気によって排出孔１１３ｂと開口孔１１５との気圧差が発生し、開口孔１１５の間の周辺気流を引き寄せる空気の流れを持つようにする。
【００５５】
前記閉止部１１４は、空間１１３ａの上部に位置し、開口孔１１５を延長させてダクト穴１１１ａへ気流の流れを案内する。
【００５６】
また、前記閉止部１１４は、空気の流れが進行する方向に拡開した傾斜を有するようにする。
【００５７】
その理由は、排出孔１１３ｂを介して速度のある空気が排出されると、空気の力は高気圧から低気圧に作用するので、開口孔１１５の周りの空気を引き寄せながら、向上した風速及び風量の空気が、拡開した傾斜を有する閉止部１１４を介して案内されながら風速及び風量の範囲をさらに拡大させる。
【００５８】
その後、ダクト穴１１１ａを介して汚染空気を排出する。
【００５９】
また、前記回転部１２０は、長尺の中心軸１２１の外周縁に複数の翼１２２を等間隔で設置する。前記回転部１２０は空間１１３ａの内部に設置される。
【００６０】
また、前記回転部１２０の一端にはモーター１２３が伝動連結される。
【００６１】
次に、上述のように構成された厨房用フード１００ａに適用される家庭用空気流発生装置１００の作用を説明する。
【００６２】
まず、前記空間１１３ａで回転部１２０を駆動させて翼１２２によって空気の流動が発生すると、吸入孔１１２ａ、１１２ａを介して空間１１３ａに外気を吸入する。
【００６３】
ここで、一対の回転部１２０は相互反対方向に回転する。
【００６４】
その後、吸入孔１１２ａに流入する外気は、空間１１３ａを介して排出孔１１３ｂに流れが誘導されて開口孔１１５から排出される。
【００６５】
この際、空気の流れが発生する空間１１３ａと開口孔１１５は、気圧差が発生することにより、開口孔１１５の周辺の空気を引き寄せて排出孔１１３ｂから排出される空気に、開口孔１１５の周辺の汚染空気を引き寄せて合流させながら、向上した風速及び風量を持つようにする。
【００６６】
閉止部１１４を介して、ダクト穴１１１ａへ、向上した風速及び風量を有する汚染空気を案内しながら、前記閉止部１１４の傾斜によって空気の流れの流速が速くなって迅速な空気排気循環を成すようにする。
【００６７】
その結果、本発明の厨房用フード１００ａに適用される家庭用空気流発生装置１００は、互いに対向するように設置された一対の回転部１２０を相互反対方向に回転させて空気を流れさせることができるようにするが、空気の流れが下方から上方へ流れるようにしてキッチンの汚染空気を外部へ排出するようにする効果がある。
【００６８】
図４〜図６に示すように、本発明の家庭用空気流発生装置１００は、ケース１１０と回転部１２０を含んでなる。
【００６９】
ここで、家庭用空気流発生装置１００はシーリングファン１００ｂに適用した状態である。次に、これについて説明する。
【００７０】
本発明のシーリングファン１００ｂに適用される家庭用の空気流発生装置１００は、内部空間１１３ａの天井に設置される。
【００７１】
すなわち、長尺のパイプ状の上部１１１を天井に垂直に設置する。
【００７２】
前記シーリングファン１００ｂに適用される家庭用空気流発生装置１００は、上部１１１によって支持され、室内空間１１３ａの天井に離隔状態で設置される。
【００７３】
そして、本発明の家庭用空気流発生装置は、ケース１１０と回転部１２０を含んでなる。
【００７４】
前記ケース１１０は、長さをもって両側が半円状からなる流線型の枠組みとして形成される。
【００７５】
すなわち、前記ケース１１０は、内部に空間１１３ａを一対に区分して長さ方向に互いに並んで離隔状態で対向するように形成し、前記空間１１３ａには吸入孔１１２ａと排出孔１１３ｂをそれぞれ設け、空間１１３ａ同士の間には排出孔１１３ｂに連通する開口孔１１５を設ける。
【００７６】
併せて、前記回転部１２０は、一対が設けられ、前記空間１１３ａにそれぞれ回転可能に設置され、モーター１２３の動力によって相互逆回転して外気を吸入孔１１２ａから排出孔１１３ｂへ排出する。
【００７７】
これにより、前記排出孔１１３ｂから排出される空気によって排出孔１１３ｂと開口孔１１５との気圧差を発生させて開口孔１１５の間の気流を引き寄せる空気の流れを持つようにする。
【００７８】
前記ケース１１０の具体的な構成は次のとおりである。
【００７９】
前記ケース１１０は、前記上部１１１に連結され、内部に弧状の一対の空間１１３ａを互いに離隔するように形成させた空間部１１３と、前記空間部１１３に下方に連設され、排出孔１１３ｂから排出された空気が開口孔１１５の下部へ流れるように案内する閉止部１１４とから構成する。
【００８０】
前記閉止部１１４は、下方に向かうほど、拡開した傾斜を有する。
【００８１】
その理由は、排出孔１１３ｂを介して速度のある空気が排出されると、空気の力は高気圧から低気圧に作用するので、開口孔１１５の周辺の空気を引き寄せ、向上した風速及び風量の空気が、拡開した傾斜を有する閉止部１１４を介して案内されながら、風速及び風量の範囲をさらに拡大させることにある。
【００８２】
併せて、前記回転部１２０は、長尺の中心軸１２１の外周縁に複数の翼１２２を等間隔で設置する。前記回転部１２０は空間１１３ａの内部に設置される。
【００８３】
また、前記回転部１２０の一端はモーター１２３に伝動連結される。
【００８４】
次に、このように構成されたシーリングファン１００ｂに適用される家庭用空気流発生装置１００の作用を説明する。
【００８５】
まず、前記空間１１３ａで回転部１２０を駆動させることにより翼１２２によって空気の流動が発生すると、吸入孔１１２ａを介して空間１１３ａに外気を吸入する。
【００８６】
ここで、一対の回転部１２０は相互反対方向に回転する。
【００８７】
その後、吸入孔１１２ａに流入する外気は、空間１１３ａを介して排出孔１１３ｂへ流れが誘導されて開口孔１１５から排出される。
【００８８】
このとき、空気の流れが発生する空間１１３ａと開口孔１１５は、気圧差が発生することにより、開口孔１１５の周辺の空気を引き寄せて排出孔１１３ｂから排出される空気に、開口孔１１５の周辺の汚染空気を引き寄せて合流させながら、向上した風速及び風量を持つようにする。
【００８９】
そして、閉止部１１４を介して、向上した風速及び風量を有する空気を案内しながら、前記閉止部１１４の傾斜によって空気の流れの流速が速くなって迅速な空気排気循環を成すようにする。
【００９０】
その結果、本発明のシーリングファン１００ｂに適用される家庭用空気流発生装置１００は、室内の天井に設置された状態で、強力な空気の流れを発生させるとともに、流れる空気の温度可変を可能にして室内の冷暖房を選択的に行う。
【００９１】
併せて、前記ケース１１０の下部面の周囲にはＬＥＤランプを設置する。
【００９２】
これは、前記家庭用空気流発生装置１００を介して空気の流れによる室内空間の冷却効果に加えて、照明器具の機能を同時に行うことができる。
【００９３】
加えて、前記空間１１３ａの内部には熱線１４０を装着することにより、回転部１２０によって熱風を発生させるようにする。
【００９４】
これは、室内空間の温度を下げようとする場合、回転部１２０の回転により空気の流れを発生させて冷たい空気を循環させることにより冷却効果を持つようにする。
【００９５】
これに対し、室内空間の温度を高めようとする場合、熱線１４０に電流を通電させて熱線１４０の電気抵抗によって発熱させ、回転部１２０の回転により空気が開口孔１１５を介して下方に流れるときに暖かい空気で温度が可変して温風を室内へ循環させることができる。
【００９６】
まず、図７及び図８に示すように、本発明の家庭用空気流発生装置１００はケース１１０と回転部１２０とを含んでなる。
【００９７】
ここで、家庭用空気流発生装置１００は換気扇１００ｃに適用した状態である。次に、これについて説明する。
【００９８】
本発明の換気扇１００ｃに適用される家庭用空気流発生装置１００は、室内の壁に設置される。
【００９９】
前記ケース１１０は、内部に空間１１３ａを一対に区分して長さ方向に互いに並んで離隔状態で対向するように形成し、前記空間１１３ａには吸入孔１１２ａと排出孔１１３ｂをそれぞれ設け、空間１１３ａ同士の間には排出孔１１３ｂに連通する開口孔１１５を設ける。
【０１００】
前記回転部１２０は、前記空間１１３ａにそれぞれ回転可能に設置され、モーター１２３の動力によって相互逆回転して外気を吸入孔１１２ａから排出孔１１３ｂへ排出する一対の回転部１２０から構成することにより、前記排出孔１１３ｂから排出される空気によって排出孔１１３ｂと開口孔１１５との気圧差を発生させて開口孔１１５の間の気流を引き寄せる空気の流れを持つようにする。
【０１０１】
ここで、前記ケース１１０は、前記家庭用空気流発生装置１００が設置される空間１１３ａの壁面に水平に固定され、屋内外を連通させる上部１１１と、前記上部１１１の内部に設置され、弧状の一対の空間１１３ａを相互離隔するように形成させた空間部１１３と、前記空間部１１３に水平方向に連設され、排出孔１１３ｂから排出された空気が開口孔１１５へ流れるように案内する閉止部１１４とから構成する。
【０１０２】
前記ケース１１０は、開口孔１１５の端部にモーター１２３によって回転する幕板１５０を設置することにより、開口孔１１５を選択的に開閉させるようにする。
【０１０３】
前記閉止部１１４は、空気の流れが進行する方向に拡開した傾斜を有するように構成する。
【０１０４】
その理由は、排出孔１１３ｂを介して速度のある空気が排出されると、空気の力は高気圧から低気圧に作用するので、開口孔１１５の周辺の空気を引き寄せ、向上した風速及び風量の空気が、拡開した傾斜を有する閉止部１１４を介して案内されながら、風速及び風量の範囲をさらに拡大させることにある。
【０１０５】
次に、前述のように構成された換気扇１００ｃに適用される家庭用空気流発生装置１００の作用を説明する。
【０１０６】
まず、前記空間１１３ａで回転部１２０を駆動させることにより翼１２２によって空気の流動が発生すると、吸入孔１１２ａを介して空間１１３ａへ外気を吸入する。
【０１０７】
ここで、一対の回転部１２０は相互反対方向に回転する。
【０１０８】
その後、吸入孔１１２ａに流入する外気は、空間１１３ａを介して排出孔１１３ｂへ流れが誘導されて開口孔１１５から排出される。
【０１０９】
このとき、空気の流れが発生する空間１１３ａと開口孔１１５は、気圧差が発生することにより、開口孔１１５の周辺の空気を引き寄せて排出孔１１３ｂから排出される空気に、開口孔１１５の周辺の汚染空気を引き寄せて合流させながら、向上した風速及び風量を持つようにする。
【０１１０】
そして、閉止部１１４を介して、室内空間の外部へ、向上した風速及び風量を持つ汚染空気を案内しながら、前記閉止部１１４の傾斜により空気流れの流速が速くなって迅速な空気排気循環を成すようにする。
【０１１１】
その結果、本発明の厨房用フード１００ａに適用される家庭用空気流発生装置１００は、互いに対向するように設置された一対の回転部１２０を相互反対方向に回転させて空気を流れさせることができるようにするが、空気の流れが下方から上方へ流れるようにしてキッチンの汚染空気を外部へ排出するようにする効果がある。
【０１１２】
以上で説明した本発明は、前述した実施例及び添付図面によって限定されるものではなく、本発明の技術的思想を逸脱しない範囲内において様々な置換、変形及び変更を加え得るのは、本発明の属する技術分野における通常の知識を有する者にとって明らかであろう。
【符号の説明】
【０１１３】
１００    家庭用空気流発生装置
１００ａ  厨房用フード
１００ｂ  シーリングファン
１００ｃ  換気扇
１１０    ケース
１１１    上部
１１１ａ  ダクト穴
１１２    連結部
１１２ａ  吸入孔
１１３    空間部
１１３ａ  空間
１１３ｂ  排出孔
１１４    閉止部
１１５    開口孔
１２０    回転部
１２１    中心軸
１２２    翼
１２３    モーター
１３０    ＬＥＤランプ
１４０    熱線
１５０    幕板
１５１    モーター
【図１】
0006360167.tif 000002
【図２】
0006360167.tif 000003
【図３】
0006360167.tif 000004
【図４】
0006360167.tif 000005
【図５】
0006360167.tif 000006
【図６】
0006360167.tif 000007
【図７】
0006360167.tif 000008
【図８】
0006360167.tif 000009
【図９】
0006360167.tif 000010